【手続補正書】
【提出日】平成24年8月28日(2012.8.28)
【手続補正１】
【補正対象書類名】特許請求の範囲
【補正対象項目名】全文
【補正方法】変更
【補正の内容】
【特許請求の範囲】
【請求項１】
第１の記憶手段を備える制御ユニットと、
第２の記憶手段を備える通信ユニットと、
を備える画像通信装置であって、
前記画像通信装置は、
前記制御ユニットの制御により外部装置との間で通信を行う第１のモードと、前記通信ユニットの制御により外部装置との間で通信を行う第２のモードとを備え、
前記通信ユニットは、
通信ごとの通信履歴情報を生成する生成手段と、
前記第２のモードにおいて、前記通信ユニットにおいて固有の識別情報を前記通信履歴情報に付与する付与手段と、
前記第２のモードにおいて、前記第２の記憶手段に前記識別情報が付与された通信履歴情報を格納する手段とを備え、
前記制御ユニットは、
前記第２のモードから前記第１のモードへ移行する場合に、前記第２の記憶手段に格納された前記通信履歴情報を取得する取得手段と、
前記取得手段で取得された前記通信履歴情報に付与された識別情報を、前記制御ユニットにおいて固有の識別情報となるように変更する変更手段と、
前記変更された識別情報が付与された前記通信履歴情報を前記第１の記憶手段に格納する手段と
を備えることを特徴とする画像通信装置。
【請求項２】
第１の記憶手段を備える制御ユニットと、
第２の記憶手段を備える通信ユニットと、
を備える画像通信装置であって、
前記画像通信装置は、
前記制御ユニットの制御により外部装置との間で通信を行う第１のモードと、前記通信ユニットの制御により外部装置との間で通信を行う第２のモードとを備え、
前記通信ユニットは、
通信ごとの通信履歴情報を生成する生成手段と、
前記第２のモードにおいて、前記制御ユニットから通知された識別情報に基づいて、識別情報を前記通信履歴情報に付与する付与手段と、
前記第２のモードにおいて、前記識別情報が付与された通信履歴情報を前記第２の記憶手段に格納する手段とを備え、
前記制御ユニットは、
前記第１のモードから前記第２のモードへ移行する場合に、前記第１のモードにおいて前記第１の記憶手段に格納された前記通信履歴情報に付与された、前記制御ユニットにおいて固有の識別情報のうち、最新の識別情報を前記通信ユニットに通知する通知手段と、
前記第２のモードから前記第１のモードへ移行する場合に、前記第２の記憶手段に格納された前記通信履歴情報を取得する取得手段と、
前記取得手段で取得した前記通信履歴情報を、前記第１の記憶手段に格納する手段と
を備えることを特徴とする画像通信装置。
【請求項３】
前記第１のモードにおいて前記制御ユニット及び前記通信ユニットへの電力供給を行い、前記第２のモードにおいて前記制御ユニットへの電力供給を行わず、前記通信ユニットへの電力供給を行う電力供給手段を更に備えることを特徴とする請求項１又は２に記載の画像通信装置。
【請求項４】
前記付与手段は、所定の規則に従って前記識別情報を発行することを特徴とする請求項１乃至３のいずれか１項に記載の画像通信装置。
【請求項５】
前記制御ユニットは、所定の規則に従って前記識別情報を発行する識別情報発行手段を有することを特徴とする請求項１乃至４のいずれか１項に記載の画像通信装置。
【請求項６】
前記識別情報は、通し番号であることを特徴とする請求項１乃至５のいずれか１項に記載の画像通信装置。
【請求項７】
前記第２のモードにおいて、前記通信ユニットの制御により外部装置との間で通信が行われたことを示す情報をユーザに通知する手段をさらに備えることを特徴とする請求項１乃至６のいずれか１項に記載の画像通信装置。
【請求項８】
第１の記憶手段を備える制御ユニットと、
第２の記憶手段を備える通信ユニットと、
を備える画像通信装置の制御方法であって、
前記画像通信装置が、
前記制御ユニットの制御により外部装置との間で通信を行う第１のモードと、前記通信ユニットの制御により外部装置との間で通信を行う第２のモードで動作し、
前記通信ユニットが、
通信ごとの通信履歴情報を生成する生成工程と、
前記第２のモードにおいて、前記通信ユニットにおいて固有の識別情報を前記通信履歴情報に付与する付与工程と、
前記第２のモードにおいて、前記第２の記憶手段に前記識別情報が付与された通信履歴情報を格納する工程とを実行し、
前記制御ユニットが、
前記第２のモードから前記第１のモードへ移行する場合に、前記第２の記憶手段に格納された前記通信履歴情報を取得する取得工程と、
前記取得工程で取得された前記通信履歴情報に付与された識別情報を、前記制御ユニットにおいて固有の識別情報となるように変更する変更工程と、
前記変更された識別情報が付与された前記通信履歴情報を前記第１の記憶手段に格納する工程と
を実行することを特徴とする画像通信装置の制御方法。
【請求項９】
第１の記憶手段を備える制御ユニットと、
第２の記憶手段を備える通信ユニットと、
を備える画像通信装置の制御方法であって、
前記画像通信装置が、
前記制御ユニットの制御により外部装置との間で通信を行う第１のモードと、前記通信ユニットの制御により外部装置との間で通信を行う第２のモードで動作し、
前記通信ユニットが、
通信ごとの通信履歴情報を生成する生成工程と、
前記第２のモードにおいて、前記制御ユニットから通知された識別情報に基づいて、識別情報を前記通信履歴情報に付与する付与工程と、
前記第２のモードにおいて、前記識別情報が付与された通信履歴情報を前記第２の記憶手段に格納する工程とを備え、
前記制御ユニットが、
前記第１のモードから前記第２のモードへ移行する場合に、前記第１のモードにおいて前記第１の記憶手段に格納された前記通信履歴情報に付与された、前記制御ユニットにおいて固有の識別情報のうち、最新の識別情報を前記通信ユニットに通知する通知工程と、
前記第２のモードから前記第１のモードへ移行する場合に、前記第２の記憶手段に格納された前記通信履歴情報を取得する取得工程と、
前記取得工程で取得した前記通信履歴情報を、前記第１の記憶手段に格納する工程と
を実行することを特徴とする画像通信装置の制御方法。
【請求項１０】
請求項８または９に記載の画像通信装置の制御方法をコンピュータに実行させるためのプログラム。
【手続補正２】
【補正対象書類名】明細書
【補正対象項目名】０００７
【補正方法】変更
【補正の内容】
【０００７】
本発明は、例えば、画像通信装置として実現できる。画像通信装置は、第１の記憶手段を備える制御ユニットと、第２の記憶手段を備える通信ユニットと、を備える画像通信装置であって、画像通信装置は、制御ユニットの制御により外部装置との間で通信を行う第１のモードと、通信ユニットの制御により外部装置との間で通信を行う第２のモードとを備え、通信ユニットは、通信ごとの通信履歴情報を生成する生成手段と、第２のモードにおいて、通信ユニットにおいて固有の識別情報を通信履歴情報に付与する付与手段と、第２のモードにおいて、第２の記憶手段に識別情報が付与された通信履歴情報を格納する手段とを備え、制御ユニットは、第２のモードから第１のモードへ移行する場合に、第２の記憶手段に格納された通信履歴情報を取得する取得手段と、取得手段で取得された通信履歴情報に付与された識別情報を、制御ユニットにおいて固有の識別情報なるように変更する変更手段と、変更された識別情報が付与された通信履歴情報を第１の記憶手段に格納する手段とを備えることを特徴とする。